(57)【要約】【課題】ビルの屋上などの防水層を備える陸屋根などの任意の位置に太陽電池システム等の外設部材を取り付けることができる持出部材の設置構造、その設置方法、及びそれを用いた外設部材の取付構造を提供する。【解決手段】本発明は、防水層からなる屋根面に固定される下方部材２Ａと、該下方部材２Ａの少なくとも固定部分を覆う防水体４Ａと、前記下方部材２Ａと連結されて外設部材８の取付部３１となる上方部材３Ａとからなる持出部材１Ａの設置構造であって、前記下方部材２Ａは、複数の固定具２１１にて定着される固定部２１を備え、前記上方部材３Ａは、上方に延在する取付部３１を備え、屋根面６Ａに固定した前記下方部材２Ａに前記上方部材３Ａを取り付けた状態で連結具５Ａを締着して一体的に連結したことを特徴とするを特徴とする。【選択図】図１
2011074581.tif 000002
【特許請求の範囲】
【請求項１】
防水層からなる屋根面に固定される下方部材と、該下方部材の少なくとも固定部分を覆う防水体と、外設部材を取り付ける上方部材とからなる持出部材の設置構造であって、
前記下方部材は、複数の固定具にて定着される固定部を備え、
前記上方部材は、上方に延在する取付部を備え、
屋根面に固定した前記下方部材に前記上方部材を一体的に連結したことを特徴とする持出部材の設置構造。
【請求項２】
屋根面に固定した下方部材に上方部材を取り付けた状態で連結具を締着して一体的に連結することを特徴とする請求項１に記載の持出部材の設置構造。
【請求項３】
屋根面の防水層と防水体とを一体化させたことを特徴とする請求項１又は２に記載の持出部材の設置構造。
【請求項４】
請求項１〜３の何れか一項に記載の設置構造を施工する設置方法であって、
防水層からなる屋根面に下方部材を複数の固定具にて定着する工程と、
下方部材に上方部材を取り付ける工程と、
下方部材の少なくとも固定部分に防水体を固定する工程と、
下方部材に上方部材を連結、固定する工程と、からなることを特徴とする持出部材の設置方法。
【請求項５】
請求項１〜３の何れか一項に記載の設置構造により設置された持出部材に支持部材を取り付け、該支持部材に外設部材を取り付けてなることを特徴とする外設部材の取付構造。
【発明の詳細な説明】
【技術分野】
【０００１】
本発明は、ビルの屋上などの防水層を備える陸屋根などの任意の位置に太陽電池システム等の外設部材を取り付けることができる持出部材の設置構造、その設置施工方法、及びそれを用いた外設部材の取付構造、改修構造に関する。
【背景技術】
【０００２】
従来、ビルの屋上などの陸屋根の上に太陽電池システム等を取り付ける場合には、陸屋根面に支持架台などの取付部材を固定してその上に太陽電池システムを構築する方法が知られている。
【０００３】
前記取付部材としては、単なる杭状の縦杆を陸屋根面に深く突き立てる構造が最も簡単であり、その周囲を防水構造とすることにより、雨水等の浸入を防止する方式が例えば特許文献１，２などに開示されている。
さらに、前記特許文献２には、ラップシート付き固定ボルトを陸屋根面に突き立ててその周囲を防水する第１実施形態に加え、予め金属板である座板の中央にラップシート付き固定ボルトが溶接により立設状に固定されたユニットを用い、埋設固定したアンカー部材に、前記ユニットの座板からねじを固定する第２実施形態の仕様も開示されている。
【０００４】
また、特許文献３には、固定本体と称される硬質合成樹脂製の成形体に、予めボルトを一体的に埋設保持した状態に立設してあり、この固定本体に設けた縦筒部にアンカーボルトである固定長尺体を挿通させて固定する構成が開示されている。
【先行技術文献】
【特許文献】
【０００５】
【特許文献１】特開２０００−１２０２３６号公報
【特許文献２】特開２００１−１０７４７１号公報
【特許文献３】特開２００５−２２０６５８号公報
【発明の概要】
【発明が解決しようとする課題】
【０００６】
しかしながら、前記特許文献１，２における縦杆は、陸屋根へのアンカー材と外設部材の取付部材とを兼ねるものであって、外設部材の取付部材としての振動が、アンカー材として極めて不都合な状況を招くものとなっている。すなわち前記縦杆は、太陽電池システム等の外設部材の振動が直接的に陸屋根の固定部分に伝わるため、陸屋根表面が崩壊したりその部分の防水構造に破綻を生じて漏水を引き起こす恐れがあった。
また、前記特許文献２に記載の第２実施形態では、座板とラップシート付き固定ボルトを一体的に溶接したユニットを用いる方法であるため、このユニットを予め作成する手間や費用がかかるものであった。
さらに、前記特許文献３における硬質合成樹脂製の固定本体も、複雑な形状を有し、さらにはボルトを予め一体に埋設保持した構成であるため、その作成に要する手間や費用が極めて高いものであった。
そこで、本発明は、太陽電池システム等の外設部材を容易に取り付けることができ、雨水の浸入をまねくことがない持出（もちだし）部材の設置構造を提案することを目的とする。
【課題を解決するための手段】
【０００７】
本発明は、上記に鑑み提案されたものであって、防水層からなる屋根面に固定される下方部材と、該下方部材の少なくとも固定部分を覆う防水体と、外設部材を取り付ける上方部材とからなる持出部材の設置構造であって、前記下方部材は、複数の固定具にて定着される固定部を備え、前記上方部材は、上方に延在する取付部を備え、屋根面に固定した前記下方部材に前記上方部材を一体的に連結したことを特徴とする持出部材の設置構造に関するものである。
【０００８】
また、本発明は、前記持出部材の設置構造において、屋根面に固定した下方部材に上方部材を取り付けた状態で連結具を締着して一体的に連結することを特徴とする持出部材の設置構造をも提案する。
【０００９】
また、本発明は、前記持出部材の設置構造において、屋根面の防水層と防水体とを一体化させたことを特徴とする持出部材の設置構造をも提案する。
【００１０】
さらに、本発明は、前記持出部材の設置方法であって、屋根面に下方部材を複数の固定具にて定着する工程と、下方部材に上方部材を取り付ける工程と、下方部材の少なくとも固定部分に防水体を固定する工程と、下方部材に上方部材を連結、固定する工程と、からなることを特徴とする持出部材の設置方法をも提案する。
【００１１】
また、本発明は、前記設置構造により設置された持出部材に支持部材を取り付け、該支持部材に外設部材を取り付けてなることを特徴とする外設部材の取付構造をも提案する。
【発明の効果】
【００１２】
本発明の持出部材の設置構造は、太陽電池システム等の外設部材を取り付けた場合に、風雨等の振動が外設部材から支持部材へ伝搬しても、上方部材と下方部材との連結部分に伝わるに過ぎず、しかも振動は下方部材の複数の固定部に分散されるので、屋根表面は崩壊しないし、防水構造の破綻を生ずることがない。
これに対して、例えば前記特許文献１，２のように縦杆の上部に外設部材を取り付ける構造では、外設部材の振動が直接的に屋根の固定部分に伝わり、屋根表面が崩壊したりその部分の防水構造に破綻を生じて漏水を引き起こす恐れがあった。
また、下方部材の複数の固定部分を防水体にて覆う構成であるため、屋根上に溜まった雨水に対しても、確実にその浸入を防止することができる。
さらに、この持出部材の上方部材の連結（連結具の締着）に際して受部材を同時に固定しておき、該受部材に支持部材を取り付ければ、その支持部材に対して各種の太陽電池パネルや緑化構造を容易に取り付けることができる。
【００１３】
特に、屋根面に固定した下方部材に上方部材を取り付けた状態で連結具を締着して一体的に連結する場合には、例えば後述する図示実施例のように上方部材と下方部材とを係合等にて取り付けた状態とし、連結具を締着することにより強固に一体化させるという構成を採用することができ、用いる上方部材も下方部材も比較的簡易な形状とすることができる。
これに対して、例えば前記特許文献２の第２実施形態のように予め溶接してユニットを作成したり、或いは前記特許文献３のように樹脂成形の際に一体的に埋設固定した固定本体を作成する方法では、これらのユニットや固定本体の作成に極めて多大な手間や費用がかかるものであった。
【００１４】
また、屋根面の防水層と防水体とを一体化させた場合、例えば融着等にて一体化させることにより、屋根上の雨水に対する浸入防止の効果が高いものである。
【００１５】
さらに、本発明の持出部材の設置方法は、持出部材を構成する各部材を取り付ける各工程がそれぞれに簡単であって特殊な技能や特殊な治具をも必要としないので、取付ミス等を生ずることなく容易に施工することができる。
【００１６】
また、前記持出部材の設置構造を用いた本発明の外設部材の取付構造は、各種メーカー及び各種寸法、各種仕様の太陽電池システム等の外設部材を適用することができる。また、外設部材として太陽電池システムに限定されるものではないので、例えば緑化構造などにも容易に適用でき、安定な取り付け状態を維持するものとなる。
【図面の簡単な説明】
【００１７】
【図１】（ａ）本発明に用いられる持出部材の一実施例（第１実施例）を示す分解拡大断面図、（ｂ）それを用いた設置構造の断面図である。
【図２】（ａ）本発明に用いられる持出部材の他の一実施例（第２実施例）を示す分解拡大断面図、（ｂ）それを用いた設置構造の断面図である。
【図３】（ａ）本発明に用いられる持出部材の他の一実施例（第３実施例）を示す分解断面図、（ｂ）それを用いた設置構造の断面図である。
【図４】（ａ）本発明の設置構造の他の一実施例（第４実施例）を示す断面図、（ｂ）それに用いた下方部材を示す斜視図である。
【図５】（ａ）太陽電池パネルを支持する支持部材を示す正面図と左側面図と平面図、（ｂ）太陽電池パネルを示す正面図と右側面図と平面図と断面図、（ｃ）持出部材に支持部材を取り付けた状態を示す斜視図、（ｄ）支持部材に太陽電池パネルを取り付けた状態を示す斜視図である。
【発明を実施するための形態】
【００１８】
本発明の持出部材（持出金具）の設置構造は、上方部材及び下方部材より構成される持出部材を防水層からなる屋根面に設置した構造であり、下方部材は、屋根面に固定する部材であり、上方部材は、外設部材を取り付ける部材であり、これら以外に、下方部材の少なくとも固定部分を覆う防水体を用いる。なお、持出部材という名称に関し、持出金具（もちだしかなぐ）という名称が一般的であるが、金属製に限定されるものではなく、例えば硬質の樹脂成型品でもよいため、持出部材とした。
そして、前記持出部材には、支持部材を取り付け、さらにその支持部材に対し、外設部材を取り付けることができる。
【００１９】
本発明の持出部材を設置する防水層からなる屋根面としては、例えば防水層（主にシート防水層）が敷設される陸屋根などが挙げられる。
【００２０】
前記下方部材は、前述のように屋根面に固定する部材であって、複数の固定具にて定着される固定部を備える構成である。
この固定部は、ビスやアンカーボルト等の固定具を用いて屋根面に定着されるが、複数の固定部を設けるので、少なくとも前記従来技術の棒状固定部材のように深く固定する必要はなく、相対的に浅く固定すればよい。
また、この下方部材には、上方部材が取り付けられる連結受部を設けるようにしても良く、最終的に後述する上方部材の連結部と一体的に連結されるものであればよく、例えば上方部材を配した状態では、ハズレ落ちない程度に取り付けるものであれば、特にその構成及び形状を限定するものではない。
【００２１】
前記上方部材は、前述のように外設部材を取り付ける部材であって、上方に延在する取付部を備える構成である。
この取付部は、後述する図示実施例のようにボルト杆の縦ネジ部でもよく、外設部材を直接的又は間接的（支持部材等を介して）に取り付けられるものであれば、特にその構成を限定するものではない。
また、この上方部材には、前記下方部材に取り付けられる連結部を設けるようにしても良く、最終的に前記下方部材の連結受部と一体的に連結されるものであればよく、例えばこの上方部材を配した状態では、ハズレ落ちない程度に取り付けられるものであれば、特にその構成及び形状を限定するものではない。
【００２２】
前記防水体は、前述のように前記下方部材の少なくとも固定部分を覆う部材であって、固定部分を含む一部のみを覆う構成でも、下方部材を全面的に覆う構成でもよい。
また、この防水体は、シート状でも成形品でもよく、熱融着により固定されることが望ましいため、防水体自体を熱で融着する構成が望ましい。特に防水シートの裏面側に不織布を積層してなる不織布積層防水シートやその成形品を用いてもよい。この不織布積層防水シートとしては、防水シートを構成するプラスチックや合成ゴムなどと不織布とが物理的に一体化された構成であり、既に市販されているのでそれを用いてもよい。
【００２３】
また、前記下方部材と上方部材を一体的に連結する目的で、連結具を締着するようにしてもよい。例えば下方部材と上方部材とが螺合や後述する図示実施例における連結部材等にて一体化する構成であればこの連結具は必要ないが、前述のように連結受部と連結部とをハズレ落ちない程度に取り付けている場合には、この連結具を締着することにより一体的に連結する。
この連結具は、後述する図示実施例ではナットを用いたが、これに限定されるものではい。図示実施例では、下方部材に設けた溝状の連結受部に、上方部材（ボルト材）のボルト頭部（連結部）を側方から嵌め付けた（遊嵌した）状態でボルト材の雄ネジ部に連結具としてナットを締着した例である。この連結具（ナット）は、当初の締め付けでは雄ネジ部に螺合した状態で下降するが、スペーサ等に当接した状態で締め付けを続けると、ボルト材が上方へ引っ張り上げられ（上昇し）、連結部（上方部材）が連結受部（下方部材）に強固に一体化する。
なお、この連結具（ナット）を前記上方部材（ボルト材）に取り付ける際には、その取付部分からの漏水を防止するために防水材付きの座金を併用することが望ましい。
【００２４】
そして、これらの上方部材、下方部材、及び防水体から構成される持出部材の設置構造の施工手順は、以下のとおりである。すなわち本発明の持出部材の設置方法は、以下の手順にて行われる。
【００２５】
まず、第１の工程として、防水層からなる屋根面に下方部材を固定する。
防水層が敷設されている場合には、屋根表面の微細な凹凸から雨水等が持出部材の裏面側に回り込むことがない。
【００２６】
次に、下方部材に上方部材を取り付ける工程（Ａの工程）について説明する。
前述のように下方部材と上方部材とが例えば螺合等により一体化する構成でも、ハズレ落ちない程度に取り付けられる構成でもよい。前者の場合には、後述する下方部材に上方部材を連結、固定する工程（Ｃ工程）を兼ねるものとなる。後者の場合には、下方部材の連結受部に上方部材の連結部を取り付ける構成に相当する。
【００２７】
次に、下方部材の少なくとも固定部分に防水体を固定する工程（Ｂの工程）について説明する。
前述のように防水体は、固定部分を含む一部のみを覆う構成でも、下方部材を全面的に覆う構成でもよく、熱融着により固定されることが望ましい。
【００２８】
次に、下方部材に上方部材を連結、固定する工程（Ｃの工程）について説明する。
この工程は、前述のように、下方部材に上方部材取り付ける工程（＝Ａの工程）において、下方部材の連結受部に上方部材の連結部をハズレ落ちない程度に取り付けられいる場合に相当し、連結具を締着させることにより一体的に連結させる。
この連結具については、既に説明したように、後述する図示実施例ではナットであり、ボルト材である上方部材の雄ネジ部に螺合した状態で下降し、スペーサ等に当接した状態で締め付けを続けることにより、上方部材が上方へ引っ張り上げられ（上昇し）、連結部（上方部材）が連結受部（下方部材）に強固に一体化する。
【００２９】
前記第１の工程を除くＡ〜Ｃの工程については、特に手順を限定するものではなく、連結具を用いない場合には、Ａ＝Ｃであるから、１→Ａ（＝Ｃ）→Ｂの順でも１→Ｂ→Ａ（＝Ｃ）の順でもよいし、連結具を用いる場合には、１→Ａ→Ｂ→Ｃの順でも１→Ａ→Ｃ→Ｂの順でも１→Ｂ→Ａ→Ｃの順でもよい。
【００３０】
また、以後の施工を考慮して後述する図示実施例のように受部材を連結具の上部に接するように取り付けることが望ましい。
【００３１】
前記受部材は、特にその形状や構成等を限定するものではないが、後述する図示実施例のように略Ｕ字状のピース材としてもよく、所定間隔を隔てて配設された複数の受部材に対し、連続する支持部材を取り付けるようにしてもよい。すなわち、ピース状の受部材は、汎用のレンチ等の治具を用いて連結具を取り付ける際に支障がなく、長尺な支持部材の取り付けを容易にする位置規制の役割も果たす。
【００３２】
前記受部材に取り付けられる支持部材は、特にその形状や構成等を限定するものではないが、後述する図示実施例のように連続する逆Ｕ字状の長尺材又は定尺材でもよい。
【００３３】
前記支持部材に取り付けられる外設部材としては、太陽電池システムを後述する図示実施例にて説明するが、それに限定するものではなく、屋根面に適用される外設部材であれば、例えば緑化構造でもよいし、避雷針、アンテナなどでもよい。
この外設部材の配設位置は、前記支持部材の任意の位置に取り付けることができるので、屋根面の任意の位置に取り付けることができる。
【実施例】
【００３４】
図１（ａ）に示す第１実施例の持出部材１Ａは、防水層からなる屋根面６Ａに固定する下方部材２Ａと、図示しない外設部材を取り付ける上方部材３Ａと、前記下方部材２Ａの全表面を覆う防水体４Ａと、前記下方部材２Ａ及び前記上方部材３Ａを連結する連結具５Ａと構成される。
【００３５】
前記下方部材２Ａは、ビスやアンカーボルト等の固定具２１１を用いて屋根面に固定されるものであり、この第１実施例では、略円盤状の基台部２４の略中央に中空状の円筒部２５を備える硬質塩ビからなる樹脂成形品であり、基台部２４には複数の固定部２１が設けられ、円筒部２５の上部には、上方が開放する空間部である連結受部２２が設けられている。この空間部（連結受部２２）は、後述するボルト材（上方部材３Ａ）の頭部（連結部３２）が係合（遊嵌）されるサイズに形成されている。
【００３６】
前記上方部材３Ａは、外設部材を直接的又は間接的に取り付けることができるものであり、この第１実施例では、頭部を下に雄ネジ部を上に配するボルト材であり、上方に延在する雄ネジ部が外設部材の取付部３１であり、頭部が前記下方部材２Ａの連結受部２２に係合（遊嵌）される連結部３２である。
【００３７】
前記防水体４Ａは、前記下方部材２Ａの少なくとも固定部分（固着具２１１の頭部）を覆うものであり、この第１実施例では、前記下方部材２Ａの全表面を覆う防水体（元旦ビューティ工業社製「元旦サーナルーフF610-20」）であり、外側の端縁を下地（屋根面）６Ａとしての防水層（元旦ビューティ工業社製「元旦サーナルーフS327-12」）６１の表面に熱融着している。なお、図１（ｂ）ではこの熱融着部分を破線で囲む部分として示した。
【００３８】
前記連結具５Ａは、前記下方部材２Ａ（連結受部２２）と上方部材３Ａ（連結部３２）を一体的に連結するものであり、この第１実施例ではナットであり、防水材付き座金５１を介して上方部材３Ａの雄ネジ部（取付部３１）に締着される。
【００３９】
なお、これらの持出部材１Ａを取り付ける屋根面６Ａは、この第１実施例ではデッキプレート６２上に略平坦状に断熱材６３が配設された構成であり、その表面に防水層（元旦ビューティ工業社製「元旦サーナルーフS327-12」）６１が敷設されている。
【００４０】
この第１実施例の施工手順は、まず第１の工程として、屋根面（防水層６１）６Ａ上に前記構成の下方部材２Ａを固定する。
図示実施例では、複数の固定部２１から打ち込んだビス（固定具２１１）が断熱材６３を貫通してその下端がデッキプレート６２に達するように固定した。
【００４１】
次に、Ａの工程として、固定した下方部材２Ａの連結受部２２に前記構成の上方部材３Ａを側方から係合（遊嵌）するように配設する。
この工程では、上方部材３Ａはハズレ落ちない程度に取り付けられいる。
【００４２】
続いて、Ｂの工程として、前記下方部材２Ａの全表面を覆うように防水体４Ａを敷設し、前述のように熱融着（図１（ｂ）では破線で囲む部分）により固定する。
なお、このＡの工程と前記Ｂの工程とは、作業に支障が生じなければ入れ替えて或いは同時に行うようにしてもよい。
【００４３】
その後、Ｃの工程として、前記上方部材３Ａに連結具５Ａを締着することにより、前記下方部材２Ａに前記上方部材３Ａを連結、固定する。
前記連結具５Ａは、ボルト材である上方部材３Ａの雄ネジ部（取付部３１）に螺合するナットであり、当初の締め付けでは雄ネジ部に螺合した状態で下降し、防水材付き座金５１が下方部材２Ａの上端に当接した状態で締め付けを続けると、上方部材３Ａが上方へ引っ張り上げられ（上昇し）、頭部（連結部３２）が空間部（連結受部２２）の上端に圧接する状態で強固に一体化する。
【００４４】
このように施工される持出部材１Ａの設置構造は、図示しない太陽電池システム等の外設部材を取り付けた場合に、風雨等の振動が外設部材から上方部材３Ａの取付部３１へ伝搬しても、上方部材３Ａと下方部材２Ａとの連結部分に伝わるに過ぎず、しかも振動は下方部材２Ａの複数の固定部２１に分散されるので、屋根表面６は崩壊しないし、防水構造の破綻を生ずることがない。
【００４５】
また、図示実施例では下方部材２Ａの全表面を防水体４Ａにて覆ったため、屋根６上に溜まった雨水に対しても、確実にその浸入を防止することができる。
【００４６】
図２（ａ）に示す第２実施例の持出部材１Ｂは、屋根面に固定する下方部材２Ｂと、太陽電池パネルである外設部材８を取り付ける上方部材３Ｂと、前記下方部材２Ｂの全表面を覆う防水体４Ｂと、前記下方部材２Ｂ及び前記上方部材３Ｂを連結する連結具５Ｂとからなる。
【００４７】
この第２実施例における前記下方部材２Ｂは、略円盤状の基台部の略中央に下方が解放する隆起状保持部（連結受部２２）を備える金属成形品であり、基台部には複数の固定部２１が設けられ、隆起状保持部（連結受部２２）は、後述するボルト材（上方部材３Ｂ）の頭部（連結部３２）が係合（遊嵌）されるサイズに形成されている。
【００４８】
この第２実施例における前記上方部材３Ｂは、頭部を下に雄ネジ部を上に配するボルト材であり、上方に延在する雄ネジ部が外設部材の取付部３１であり、頭部が前記下方部材２Ｂの連結受部２２に係合（遊嵌）される連結部２１である。そして、この雄ネジ部の高さの途中には、固定ナット３３が取り付けられている。
【００４９】
この第２実施例における前記防水体４Ｂは、前記下方部材２Ｂの全表面を覆う防水シート（元旦ビューティ工業社製「元旦サーナルーフF610-20」）であり、外側の端縁を下地（屋根面）６Ｂとしての防水層（元旦ビューティ工業社製「元旦サーナルーフS327-12」）６１の表面に熱融着している。なお、図２（ｂ）ではこの熱融着部分を破線で囲む部分として示した。
【００５０】
この第２実施例における前記連結具５Ｂは、ナットであり、防水材付き座金５１を介して上方部材３Ｂの雄ネジ部（取付部３１）に締着される。
【００５１】
なお、これらの持出部材１Ｂを取り付ける屋根面６Ｂは、デッキプレート６２上に断面略ユ字状の鋼板下地６４（固定具６４１）及び略平坦状に断熱材６３が配設された構成であり、さらにその上面に防水層（元旦ビューティ工業社製「元旦サーナルーフS327-12」）６１が敷設されている。
【００５２】
この第２実施例の施工手順は、まず第１の工程として、屋根面（防水層６１）６Ｂ上に前記下方部材２Ｂを固定する。なお、この下方部材２Ｂの連結受部２２には、裏面側から上方部材３Ｂであるボルト材を装着しておく。すなわちＡの工程は、この実施例では第１の工程の前に行う。
図示実施例では、複数の固定部２１から打ち込んだ固定具２１１が鋼板下地６４の上フランジを貫通して断熱材６３に達するように固定した。
【００５３】
続いて、Ｂの工程として、前記下方部材２Ｂの全表面を覆うように防水体４Ｂを敷設し、前述のように熱融着（図２（ｂ）では破線で囲む部分）により固定する。
なお、この第２実施例では、予め下方部材２Ｂに上方部材３Ｂを組み付けているので、上方部材３Ｂの固定ナット３３から固定部２１より外側へ防水体４Ｂを張り渡して固定する。
【００５４】
その後、Ｃの工程として、前記上方部材３Ｂに連結具５Ｂを締着することにより、前記下方部材２Ｂに前記上方部材３Ｂを連結、固定する。
前記連結具５Ｂは、ボルト材である上方部材３Ｂの雄ネジ部（取付部３１）に螺合するナットであり、当初の締め付けでは雄ネジ部に螺合した状態で下降し、防水材付き座金５１が固定ナット３３の上端に当接した状態で締め付けを続けると、上方部材３Ｂが上方へ引っ張り上げられ（上昇し）、頭部（連結部３２）が連結受部２２の上端に圧接する状態で強固に一体化する。
【００５５】
さらにこの第２実施例では、前記連結具５Ｂの直上の取付部３１に、略Ｕ字状のピース材である受部材７ａが取り付けられ、この受部材７ａに略逆Ｕ字状の長尺な支持部材７ｂが取り付けられ、この支持部材７ｂ上に太陽電池８０の周縁にフレーム８１を配した太陽電池パネル８が敷設されている。また、隣接する太陽電池パネル８，８間の裏面側には四角筒状の支持桟９ａが、表面側には桟カバー９ｂが配設されている。
前記フレーム８１は、裏面側に四角筒状の受座部分を備え、前記支持桟９ａと共に支持部材７ｂ上に受支されている。
なお、図中、７１は受部材７ａを固定する固着具であり、７２はその固着部分及び前記連結具５Ｃの固着部分をも覆う不定形のシール材である。また、受部材７ａと支持部材７ｂ、支持部材７ｂと支持桟９ａ、支持桟９ａとフレーム８１、支持桟９ａと桟カバー９ｂはそれぞれビスにて固定されている。
【００５６】
図３（ａ）に示す第３実施例の持出部材１Ｃは、屋根面に固定する下方部材２Ｃと、太陽電池パネルである外設部材８を取り付ける上方部材３Ｃと、前記下方部材２Ｃの固定部分のみ覆う防水体４Ｃと、前記下方部材２Ｃ及び前記上方部材３Ｃを連結する連結具５Ｃとからなる。
【００５７】
この第３実施例における前記下方部材２Ｃは、略中央が隆起する略円盤状の金属成形品であり、外周部分には複数の固定部２１が設けられ、その表裏面には塩ビコーティング２２がなされている。
【００５８】
この第３実施例における前記上方部材３Ｃは、頭部を下に雄ネジ部を上に配するボルト材であり、上方に延在する雄ネジ部が外設部材の取付部３１である。そして、この上方部材３Ｃは、前記下方部材２Ｃにおける塩ビコーティングの以前に裏面側から装着されており、言い換えれば塩ビコーティングを行うことにより一体的に取り付けられたものとなっている。
【００５９】
この第３実施例における前記防水体４Ｃは、前記下方部材２Ｃの固定部分（固着具２１１の頭部）のみを覆う防水シート（元旦ビューティ工業社製「元旦サーナルーフF610-20」）であり、固定部分の外側及び内側を下地（屋根面）６Ｃとしての防水層（元旦ビューティ工業社製「元旦サーナルーフS327-12」）６１の表面に熱融着している。なお、図３（ｂ）ではこの熱融着部分を破線で囲む部分として示した。
【００６０】
この第３実施例における前記連結具５Ｃは、ナットであり、受部材７ａを介して上方部材３Ｃの雄ネジ部（取付部３１）に締着される。
【００６１】
なお、これらの持出部材１Ｃを取り付ける屋根面６Ｃは、前記第２実施例における屋根面６Ｂと同様にデッキプレート６２上に断面略コ字状の鋼板下地６４（固定具６４１）及び略平坦状に断熱材６３が配設された構成であり、さらにその上面に防水層（元旦ビューティ工業社製「元旦サーナルーフS327-12」）６１が敷設されている。
【００６２】
この第３実施例の施工手順は、まず第１の工程として、屋根面（防水層６１）６Ｃ上に前記下方部材２Ｃを固定する。なお、前述のように前記下方部材２Ｃは、裏面側から上方部材３Ｃであるボルト材を装着した状態で塩ビコーティング２２がなされて一体状としたものである。すなわちＡの工程は、この実施例では第１の工程の前に行う。
図示実施例では、複数の固定部２１から打ち込んだ固定具２１１が鋼板下地６４の上フランジを貫通して断熱材６３に達するように固定した。
【００６３】
続いて、Ｂ工程として、前記下方部材２Ｃの固定部分のみを覆うように防水体４Ｃを敷設し、前述のように熱融着（図３（ｂ）では破線で囲む部分）により固定する。
【００６４】
その後、Ｃ工程として、前記上方部材３Ｃ（取付部３１）に連結具５Ｃを締着することにより、前記下方部材２Ｃに前記上方部材３Ｃを連結、固定する。
前記連結具５Ｃは、ボルト材である上方部材３Ｃの雄ネジ部（取付部３１）に螺合するナットであり、当初の締め付けでは雄ネジ部に螺合した状態で下降し、スペーサ５２及び受部材７ａが下方部材２Ｃの中央開孔部の表面に当接した状態で締め付けを続けると、上方部材３Ｃが上方へ引っ張り上げられ（上昇し）、頭部（連結部３２）が下方部材２ｃの中央開孔部の裏面に圧接する状態で強固に一体化する。
【００６５】
さらにこの第３実施例では、受部材７ａの上方の構造については、前記第２実施例と殆ど同様であり、受部材７ａに支持部材７ｂが取り付けられ、この支持部材７ｂ上に太陽電池パネル７が敷設されている。また、隣接する太陽電池パネル７，７間の裏面側には支持桟９ａが、表面側には桟カバー９ｂが配設されている。
【００６６】
図４（ｂ）に示す第４実施例の持出部材１Ｄは、屋根面に固定する下方部材２Ｄと、図示しない外設部材を取り付ける上方部材３Ｄと、前記下方部材２Ｄの全表面を覆う防水体４Ｄと、前記下方部材２Ｄ及び前記上方部材３Ｄを連結する連結具５Ｄとからなる。
【００６７】
この第４実施例における前記下方部材２Ｄは、図４（ａ）に示すように略中央が隆起する略円盤状の金属成形品であり、外周部分には複数の固定部２１が設けられ、前記中央隆起部の頂部には、かしめナットと称される連結部材２３が取り付けられ、他の実施例のように連結具を用いない例である。
【００６８】
この第４実施例における前記上方部材３Ｄは、雄ネジ部の高さの途中には、固定ナット３３が取り付けられている構成であり、この固定ナット３３の上方の雄ネジ部が外設部材を取り付ける取付部３１であり、固定ナット３３の下方の雄ネジ部が前記下方部材２Ｄの連結部材２３に固定される部分３４である。
【００６９】
この第４実施例における前記防水体４Ｄは、前記下方部材２Ｄの全表面を覆う防水シート（元旦ビューティ工業社製「元旦サーナルーフF610-20」）であり、外側の端縁を下地（屋根面）６Ｄとしての防水層（元旦ビューティ工業社製「元旦サーナルーフS327-12」）６１の表面に熱融着している。
【００７０】
なお、これらの各部材から構成される持出部材１Ｄを取り付ける屋根面６Ｄは、略平坦状のコンクリート床面６５の表面に防水層（元旦ビューティ工業社製「元旦サーナルーフS327-12」）６１が二重に敷設されている。
【００７１】
この第４実施例の施工手順は、まず第１の工程として、屋根面（防水層６１）６Ｄ上に前記下方部材２Ｄを固定する。なお、前述のように前記下方部材２Ｄは、中央隆起部の頂部には、かしめナットと称される連結部材２３を取り付けておく。
【００７２】
次に、Ｂの工程として、前記下方部材２Ｄの全表面を覆うように防水体４Ｄを敷設し、前述のように熱融着により固定する。
なお、この第４実施例では、予め下方部材２Ｄに連結部材２３を取り付けるので、その際に防水体４Ｄも取り付けておき、それを屋根面（防水層６１）６Ｄ上に固定するようにしてもよい。
【００７３】
続いて、Ａの工程として、固定した下方部材２Ｄの連結部材２３に前記構成の上方部材３Ｄを嵌め付けて固定ボルト３３を締着することにより一体的に固定する。
なお、前述のようにこの第４実施例では、連結具を用いないので、Ｃの工程は存在しない。
【００７４】
さらにこの第４実施例では、前記取付部３１に、Ｃ形鋼である支持部材７ｃが固着具７３により取り付けられている。この支持部材７ｃに各種の外設部材を取り付けることができる。
【００７５】
次に、例えば前記第１〜第４実施例のように取り付けられる持出部材１に支持部材７ｄを介して太陽電池パネル８'を取り付けた構造を図５に示す。
【００７６】
前記支持部材７ｄは、図５（ａ）に示すように上辺（上縁）が傾斜状の台形に成形された縦面部７４と、該縦面部７４の上縁を一方側へ折曲した支持フランジ部７５と、前記縦面部７４の下縁を他方側へ折曲した取付フランジ部７６とからなる断面略Ｚ字状の金具である。
そして、前記取付フランジ部７６は略水平面状に、前記縦面部７４は略鉛直面状に、前記支持フランジ部７５は傾斜面状に配設される。
【００７７】
前記太陽電池パネル８'は、図５（ｂ）に示すように太陽電池８０の周縁に、前記第２実施例及び第３実施例に用いられた裏面側に四角筒状の受座部分を有するフレーム８１に代えて受座部分を備えないフレーム８１'を配した構成である。
【００７８】
そして、図５（ｃ）に示すように二つの持出部材１，１に跨るように前記支持部材７ｄを取り付け、図５（ｄ）に示すように取り付けた二つの支持部材７ｄ，７ｄの支持フランジ部７５，７５に、太陽電池パネル１を支持させるようにした。
なお、前記持出部材１への支持部材７ｄの取り付けは、図示しないが、前記持出部材１の取付部３１を取付フランジ部７６に形成した通孔に挿着した状態でナットなどを締着することにより容易に取り付けることができる。
【００７９】
このように前記持出部材１の設置構造を用いた外設部材（太陽電池パネル８'）の取付構造は、前述のように容易に屋根表面に持出部材１を取り付け、その持出部材１に対して支持部材７ｄ、および太陽電池パネル８’を取り付ける各作業についても容易に実施することができる。
【符号の説明】
【００８０】
１，１Ａ〜１Ｄ  持出部材
２Ａ〜２Ｄ  下方部材
２１  固定部
２１１  固着具
２２  連結受部
３Ｂ〜３Ｄ  上方部材
３１  取付部
３２  連結部
４Ａ〜４Ｄ  防水体
５Ａ〜５Ｃ  連結具
６Ａ〜６Ｄ  屋根
８，８'  太陽電池パネル
８０  太陽電池
８１，８１'  フレーム
【図１】
2011074581.tif 000003
【図２】
2011074581.tif 000004
【図３】
2011074581.tif 000005
【図４】
2011074581.tif 000006
【図５】
2011074581.tif 000007